(57)【要約】【課題】警報モードに対する警報モード表示灯の点灯状態を変更可能にすることで警報モードを判別しづらくし、不審者等の侵入を妨げる防犯効果の高いセンサライトを提供する。【解決手段】検知エリア内への侵入者の侵入を検知する人検知センサ３（侵入検知手段）と、同人検知センサ３が侵入を検知するといくつかの警報モードによって侵入を知らせることができるライト４・４、報知音スピーカ５、リレー（警報手段）と、警報モードのうち現在の警報モードを点灯状態によって表示することができる各警報手段に対応した黄色、赤色、緑色ＬＥＤランプ６Ｙ・６Ｒ・６Ｇとがセンサライト本体２に設けてあり、センサライト本体２に、黄色、赤色、緑色ＬＥＤランプ６Ｙ・６Ｒ・６Ｇのそれぞれの点灯状態と対応する警報手段の警報モードとの対応関係を変更することができる切換制御部７を設ける。【選択図】図１
2009259508.tif 000002
【特許請求の範囲】
【請求項１】
検知エリア内への侵入者の侵入を検知する侵入検知手段と、同侵入検知手段が侵入を検知するといくつかの警報モードによって侵入を知らせることができる警報手段と、前記警報モードのうち現在の前記警報モードを点灯状態によって表示することができる表示灯とが本体に設けられており、前記警報手段として前記検知エリア内を照らすことができる照明手段を備えたセンサライトにおいて、
前記本体に、前記警報モードと前記表示灯の点灯状態との対応関係を変更することができる切換制御部が設けられていることを特徴とするセンサライト。
【請求項２】
前記警報手段が前記照明手段を含み複数設けられており、これらの警報手段のそれぞれに対して前記表示灯が設けられていることを特徴とする請求項１記載のセンサライト。
【請求項３】
前記警報手段として前記照明手段の他に、報知音を出力可能な報知音出力手段と、自動通報装置等の外部装置を連動させる信号を出力可能な外部出力手段とが具備されていることを特徴とする請求項２記載のセンサライト。
【請求項４】
前記切換制御部の遠隔制御が可能なリモコンが設けられていることを特徴とする請求項１〜３のいずれかに記載のセンサライト。
【発明の詳細な説明】
【技術分野】
【０００１】
本発明は、検知エリア内への侵入者の侵入を検知して検知エリアを照明するセンサライトに関する。
【背景技術】
【０００２】
一般的にセンサライトは、検知エリア内への人の侵入を検知する侵入検知センサを備え、同侵入検知センサが侵入を検知するとライトを点灯して検知エリアを照明するようになっている。さらに、ライトを点灯させるだけでなくフラッシングさせたり、スピーカから報知音を出力するなどして、検知エリア内への侵入者に対して警告を与えるとともに、管理者や周囲に異常を知らせることができる防犯性の高いものもある（例えば、特許文献１参照）。
【０００３】
このようなセンサライトは、ライトやスピーカなどの警報手段がどのような警報モードで作動するのかを管理者が確認できるように、設定されている警報モードを点灯状態によって示すことができる表示灯が設けられている。表示灯は通常警報手段ごとに設けられており、例えば、ライト用の表示灯が点灯しているときは、ライトの警報モードが[点灯]に設定されていることを確認でき、表示灯が消灯しているときは、警報モードが[消灯]に設定されていることを確認することができる。また、スピーカ用の表示灯が点灯しているときは、スピーカの警報モードが[アラーム音]を出力する設定になっていることを確認でき、表示灯が消灯しているときは、音が出力されない[ＯＦＦ] の警報モードに設定されていることを確認することができる。
【特許文献１】特開平１０−１４４１３４号公報（第２頁〜第３頁、第１図〜第３図）
【発明の開示】
【発明が解決しようとする課題】
【０００４】
しかしながら、従来のセンサライトは、一つの警報モードに対する表示灯の点灯状態が固定されているので、表示灯の点灯状態を見ればライトやスピーカなどの警報手段のＯＮ／ＯＦＦ状態を容易に判別することができるため、不審者等が侵入しやすくなるおそれがある。
【０００５】
そこで本発明は、警報モードに対する表示灯の点灯状態を変更可能にすることで警報モードを判別しづらくし、不審者等の侵入を妨げる防犯効果の高いセンサライトを提供することを目的としている。
【課題を解決するための手段】
【０００６】
上記の課題を解決するため請求項１記載のセンサライトは、検知エリア内への侵入者の侵入を検知する侵入検知手段と、同侵入検知手段が侵入を検知するといくつかの警報モードによって侵入を知らせることができる警報手段と、前記警報モードのうち現在の前記警報モードを点灯状態によって示すことができる表示灯とが本体に設けられており、前記警報手段として前記検知エリア内を照らすことができる照明手段を備えたセンサライトにおいて、前記本体に、前記警報モードと前記表示灯の点灯状態との対応関係を変更することができる切換制御部を設けることを特徴としている。
【０００７】
このセンサライトによれば、前記警報モードと前記表示灯の点灯状態との対応関係を管理者が任意に変更することができるため、管理者以外の者が前記表示灯の点灯状態から前記警報モードを判別することが困難になる。よって、侵入者に対する牽制効果を高めることができる。
【０００８】
なお、前記表示灯は数を限定することなく、例えば１灯だけの場合には、点灯時間や点灯間隔、光の強さを変えるなどして前記警報モードを判別できるようにしても良いし、前記警報モードごとに前記表示灯を設けても良い。また、前記警報手段が複数設けられている場合に、前記警報手段ごとに切り換えて表示を行うようにすれば、１灯の前記表示灯で前記各警報手段の前記警報モードを表示することが可能になる。
【０００９】
請求項２記載のセンサライトは、警報手段が前記照明手段を含み複数設けられており、これらの警報手段のそれぞれに対して表示灯を設けることを特徴としている。このセンサライトによれば、前記警報手段ごとに前記表示灯が設けられているため、設定されている警報モードを管理者が確認しやすい。
【００１０】
請求項３記載のセンサライトは、警報手段として照明手段の他に、報知音を出力可能な報知音出力手段と、自動通報装置等の外部装置を連動させる信号を出力可能な外部出力手段とを設けることを特徴としている。このセンサライトによれば、前記侵入者の侵入を照明とともに報知音によって知らせることができ、且つ前記外部出力手段によって自動通報装置等の外部装置を連動させることができるので、防犯効果と安全性とを高めることができる。
【００１１】
請求項４記載のセンサライトは、切換制御部の遠隔制御が可能なリモコンを具備させることを特徴としている。このセンサライトによれば、前記センサライトが高い場所に設置されている場合であっても、前記警報モードに対する前記表示灯の点灯状態を手軽に変更できるようになる。
【発明の効果】
【００１２】
本発明のセンサライトは、管理者が警報モードと表示灯の点灯状態との対応関係を任意に変更することができるため侵入者に対する牽制効果が高くなり、空き巣などの防犯効果を高めることができる。また、警報手段が複数設けられている場合に、これらの警報手段のそれぞれに対して表示灯を設けておくとことで、管理者が各警報手段の警報モードを確認しやすくなり取り扱いが容易になる。そして、複数の警報手段として照明手段の他に、報知音出力手段、外部出力手段などを設けておくことで、防犯効果と安全性とをより高めることができる。また、表示灯の点灯状態の変更をリモコンで行えるようにすれば、センサライトが高い位置に設置されている場合でも、手軽に変更することができ便利である。
【発明を実施するための最良の形態】
【００１３】
以下、本発明にかかるセンサライトの実施形態について、図面１〜３を参照しつつ説明する。
図１に示すセンサライト１は、センサライト本体２の底面部に侵入検知手段として人検知センサ３が設けられている。そして、侵入検知手段の人検知センサ３が侵入者の侵入を検知するとその侵入を在宅者などに知らせる警報手段として、検知エリア内を照明することができる照明手段と、報知音を出力することができる報知音出力手段と、自動通報装置や防犯ベルなどの外部装置を連動させる信号を出力することができる外部出力手段とが設けられている。
【００１４】
具体的には、照明手段としてセンサライト本体２の上部左右にそれぞれ左右一対のハロゲン球のライト４・４が配設され、報知音出力手段としてセンサライト本体２の正面中央部に報知音スピーカ５が設けられている。また、外部出力手段として人検知センサ３の検知動作又はライト４・４の点灯動作に連動させることができる図示しないリレーがセンサライト本体２内に設けられている。なお、人検知センサ３としては検知エリア内の温度差を感知し侵入者の侵入を検知することができる赤外線センサなどを用いることができ、ライト４・４は１灯式でも良くハロゲン球の他にＬＥＤランプ用いて省電力化を図ることができる。また、リレーの代わりに電子スイッチなどを用いることもできる。
【００１５】
照明手段のライト４・４は[点灯]、[フラッシング]、[消灯]のいずれかの警報モードで動作し、報知音出力手段の報知音スピーカ５は[アラーム音]、[音声]、[ＯＦＦ]のいずれかの警報モードで動作するようになっている。リレーは人検知センサ３の検知に連動し外部装置１４を連動させる信号を出力する[センサ検知動作に連動]、ライト４・４の点灯動作に連動して外部装置１４を連動させる信号を出力する[ランプ点灯動作に連動]、出力しない[出力ＯＦＦ]のいずれかの警報モードで作動するようになっている。
【００１６】
そして、センサライト本体２の報知音スピーカ５の下側には、ライト４・４や報知音スピーカ５及びリレーの現在の警報モードを示す表示灯６が設けられている。表示灯６には、黄色、赤色、緑色の三色のＬＥＤランプが用いられており、黄色ＬＥＤランプ６Ｙが報知音スピーカ５に対応し、赤色ＬＥＤランプ６Ｒがライト４・４に対応し、緑色ＬＥＤランプ６Ｇがリレーに対応している。そして、図１（ａ）におけるＡ部部分拡大図の図１（ｂ）に示すように、両側に黄色ＬＥＤランプ６Ｙと緑色ＬＥＤランプ６Ｇとを配置し、真中に赤色ＬＥＤランプ６Ｒを配置した並びになっている。
【００１７】
これらの黄色、赤色、緑色ＬＥＤランプ６Ｙ・６Ｒ・６Ｇは、例えば、赤色ＬＥＤランプ６Ｒが点灯しているときは、ライト４・４の警報モードが[点灯]に設定され、黄色ＬＥＤランプ６Ｙが点灯しているときは、報知音スピーカ５が[アラーム音]に設定され、緑色ＬＥＤランプ６Ｇが点灯しているときは、リレーが[センサ検知動作に連動]に設定されていることを確認することができる。
【００１８】
そして、もし侵入検知手段の人検知センサ３が侵入者の侵入を検知すれば、センサライト本体２に内蔵されている図示しないマイコンに信号が入力され、このマイコンが報知音スピーカ５やライト４・４及びリレーをそれぞれ制御し、あらかじめメモリに設定されている上述の警報モードでこれらの警報手段を作動させる。また、黄色、赤色、緑色ＬＥＤランプ６Ｙ・６Ｒ・６Ｇの点灯もマイコンによって制御されており、あらかじめ前記メモリに設定されている各点灯状態で作動させるようになっている。
【００１９】
これらの黄色、赤色、緑色ＬＥＤランプ６Ｙ・６Ｒ・６Ｇの点灯状態と各警報手段の警報モードとの対応関係は変更することができ、その切換制御部７がセンサライト本体２内に内蔵されている。この切換制御部７は、センサライト本体２の着脱式カバーの内側に配置されている操作部（図示せず）によって操作可能になっている。そして、切換制御部７によって前述のメモリの設定を変更することで、報知音スピーカ５の[アラーム音]、[音声]、[ＯＦＦ]の各警報モードに対する黄色ＬＥＤランプ６Ｙの点灯状態を点灯、点滅、消灯の中から任意に設定することができるとともに、ライト４・４の[点灯]、[フラッシング]、[消灯]の各警報モードに対する赤色ＬＥＤランプ６Ｒの点灯状態を点灯、点滅、消灯の中から任意に設定することができる。また、リレーの[センサ検知動作に連動]、[ランプ点灯動作に連動]、[出力ＯＦＦ]の各警報モードに対する緑色ＬＥＤランプ６Ｇの点灯状態を点灯、点滅、消灯の中から任意に設定することができる。このような黄色、赤色、緑色ＬＥＤランプ６Ｙ・６Ｒ・６Ｇの点灯状態の変更は、前述の切換制御部７を遠隔制御することができる無線式（又は有線式）のリモコン８によっても行うことができる（図１（ａ））。
【００２０】
リモコン８は切換制御部７の制御信号を入力するためのいくつかのボタンが設けられている。即ち、ライト４・４の設定モードに切り換えたり、ライト４・４の警報モードを切り換えたりするライト切換ボタン９、報知音スピーカ５の設定モードに切り換えたり、報知音スピーカ５の警報モードを切り換えたりする報知音切換ボタン１０、リレーの設定モードに切り換えたり、リレーの警報モードを切り換えたりするリレー切換ボタン１１が設けられている。また、黄色、赤色、緑色ＬＥＤランプ６Ｙ・６Ｒ・６Ｇの点灯状態の切り換えを行うＬＥＤボタン１２と、各警報手段の現在の警報モードとその警報モードに対して設定されている表示灯の点灯状態の確認を行うことができる確認ボタン１３とが設けられている。これらのボタンによって制御信号がリモコン８に入力されると、センサライト本体２とリモコン８とにそれぞれ設けられている通信手段を介して切換制御部７に信号が入力され、そしてメモリの設定が変更されることで黄色、赤色、緑色ＬＥＤランプ６Ｙ・６Ｒ・６Ｇの表示状態の切り換えが行われる。
【００２１】
また、リモコン８はセンサライト本体２のマイコンを制御し、メモリの設定を変更することによって各警報手段（ライト４・４、報知音スピーカ５、リレー）の警報モードを必要に応じて切り換えることもできる。例えば、夜間不在にする場合には、報知音スピーカ５を[アラーム音]又は[音声]に設定するとともに、ライト４・４を[点灯]又は[フラッシング]に設定し、リレーは[センサ検知動作に連動]又は[ランプ点灯動作に連動]に設定しておく。すると、もし侵入検知手段の人検知センサ３が侵入者の侵入を検知すれば、報知音スピーカ５からアラーム音又は音声が出力されるとともに、ライト４・４が点灯又はフラッシングし、自動通報装置や防犯ベルなどが作動して警備会社などに通報するように作動させることができる。
【００２２】
また、昼間在宅中の場合には、報知音スピーカ５を[アラーム音]又は[音声]に設定するとともにライト４・４を[消灯]に設定し、リレーは[センサ検知動作に連動]に設定しておく。すると、もし人検知センサ３が侵入者の侵入を検知すれば、報知音スピーカ５からアラーム音又は音声が出力されるとともに自動通報装置などが作動して警備会社や在宅者に報知するように作動させることができる。
【００２３】
次に、警報手段の警報モードと黄色、赤色、緑色ＬＥＤランプ６Ｙ・６Ｒ・６Ｇの点灯状態との対応関係を変更する手順について、図２及び図３を参照しながら説明する。
【００２４】
センサライト１の各警報手段の警報モードに対する黄色、赤色、緑色ＬＥＤランプ６Ｙ・６Ｒ・６Ｇのそれぞれの点灯状態は、初期設定として次のように設定されている。即ち、報知音スピーカ５の[アラーム音]、[音声]、[ＯＦＦ]の各警報モードに対して黄色ＬＥＤランプ６Ｙがそれぞれ点灯、点滅、消灯の点灯状態を示すようになっている。ライト４・４の[点灯]、[フラッシング]、[消灯]の各警報モードに対しては赤色ＬＥＤランプ６Ｒがそれぞれ点灯、点滅、消灯の点灯状態を示すようになっている。リレーの[センサ検知動作に連動]、[ランプ点灯動作に連動]、[出力ＯＦＦ]の各警報モードに対して緑色ＬＥＤランプ６Ｇがそれぞれ点灯、点滅、消灯の点灯状態を示すようになっている。これらを次の表１に示す。
【００２５】
【表１】
2009259508.tif 000003
【００２６】
はじめにリモコン８のＬＥＤボタン１２を２秒以上押す（ステップＳ１）。すると、センサライト本体２の黄色、赤色、緑色ＬＥＤランプ６Ｙ・６Ｒ・６Ｇがそれぞれ点滅を開始する（ステップＳ２）。
【００２７】
次に、リモコン８の報知音切換ボタン１０、ライト切換ボタン９、リレー切換ボタン１１のうち、設定したい警報手段のボタンを１秒以上押す（ステップＳ３、ステップＳ４、ステップＳ５）。例えば、報知音ボタン１０を押した場合（ステップＳ３）、アラーム音が１回鳴り[アラーム音]の警報モードに対する黄色ＬＥＤランプ６Ｙの点灯状態を設定するモードになる（ステップＳ６）。ここで、再び報知音切換ボタン１０を１秒間以上押すと（ステップＳ３）、音声が１回出力され[音声]の警報モードの点灯状態を設定するモードに切り換る（ステップＳ７）。報知音切換ボタン１０は押すごとに[アラーム音]、[音声]が交互に切り換るようになっている。
【００２８】
また、ライト切換ボタン９を押した場合（ステップＳ４）、ライト４・４が点灯し[点灯]の警報モードに対する赤色ＬＥＤランプ６Ｒの点灯状態を設定するモードになる（ステップＳ８）。ここで、再びライト切換ボタン９を押すと（ステップＳ４）、ライト４・４がフラッシングを開始し[フラッシング]の警報モードの点灯状態を設定するモードに切り換る（ステップＳ９）。ライト切換ボタン９は押すごとに[点灯]、[フラッシング]が交互に切り換るようになっている。
【００２９】
一方、リレー切換ボタン１１を押した場合（ステップＳ５）、[センサ検知動作に連動]の警報モードに対する緑色ＬＥＤランプＧの点灯状態を設定するモードになり（ステップＳ１０）、「ピーピー」音が２秒間鳴る（ステップＳ１１）。ここで、再びリレー切換ボタン１１を押すと[ランプ点灯動作に連動]の警報モードの点灯状態を設定するモードに切り換り（ステップＳ１２）、[センサ検知動作に連動]のときとは異なる「プープー」音が２秒間鳴る（ステップＳ１３）。リレー切換ボタン１１は押すごとに[センサ検知動作に連動]、[ランプ点灯動作に連動]が交互に切り換るようになっている。
【００３０】
ステップＳ６〜ステップＳ９、ステップＳ１１、ステップＳ１３のいずれかまで進んだら、図３（ａ）に示すステップＳ１４に移行する。ステップＳ１４では選択した警報手段のＬＥＤランプが点灯し、選択しなかった他の警報手段のＬＥＤランプが消灯した状態になる。次に、ＬＥＤボタン１２を１秒間押すと（ステップＳ１５）、ＬＥＤランプが点滅し（ステップＳ１６）、再度ＬＥＤボタン１２を１秒間押すと（ステップＳ１７）、ＬＥＤランプが消灯する（ステップＳ１８）。再度ＬＥＤボタン１２を１秒間押すと（ステップＳ１９）、ステップＳ１４に戻りＬＥＤランプが点灯状態になる。
【００３１】
このように、ＬＥＤボタン１２を１秒間押すごとにＬＥＤランプは点灯、点滅、消灯が順番に切り換るようになっているため、任意の点灯状態を表示させて選択した警報モードに対するＬＥＤランプの点灯状態を選択する。引き続き別の警報モードに対するＬＥＤランプの点灯状態を設定する場合には、ステップＳ３〜ステップＳ５に戻って別の警報モードを選択し、同様の手順でＬＥＤランプの点灯状態を選択する。このときＬＥＤボタン１２を押すごとに、先ほど選択しなかった二つの点灯状態が交互に切り換るようになっており、いずれかの点灯状態を選択する。なお、報知音スピーカ５の[ＯＦＦ]の警報モードやライト４・４の[消灯]の警報モード、又リレーの[出力ＯＦＦ]の警報モードに対しては、選択されなかった点灯状態が自動的に設定される。
【００３２】
ステップＳ１４〜ステップＳ１９でＬＥＤランプの点灯状態の選択が終了すれば、図３（ｂ）のステップＳ２０に移行し、ＬＥＤボタン１２を２秒間押す。これにより、その動作に対する表示が決定される（ステップ２１）。さらに、全ての警報モードに対するＬＥＤランプの点灯状態が選択されている場合は（ステップＳ２２）、これで全ての設定が完了し終了となる（ステップＳ２３）。もし、１つの警報モードにしか点灯状態が選択されていない等の入力不足がある場合は「ピピ」と拒否音が鳴り（ステップＳ２４）、ＬＥＤボタン１２を２秒間押す前の状態に戻る（ステップＳ２５）。したがって、再びステップＳ３〜ステップＳ５に戻って点灯状態の選択を行う。
【００３３】
また、ステップＳ２０に移行する前に報知音切換ボタン１０、ライト切換ボタン９、リレー切換ボタン１１のいずれかを押すと（ステップＳ２６）、黄色、赤色、緑色ＬＥＤランプ６Ｙ・６Ｒ・６Ｇの全てが点滅を開始し（ステップＳ２７）、押した切換ボタンのルーチンへ移行する（ステップＳ２８）。なお、ステップＳ２０のＬＥＤボタン１２の長押しがある一定時間内に行われない場合は強制的に終了され、設定開始前の設定でＬＥＤランプの表示が行われるとともに、リモコン８は通常の使用状態に戻る。
【００３４】
そして、リモコン８の確認ボタン１３で、設定されている各警報手段の警報パターンとその警報パターンに対する表示灯の点灯状態とを確認することもできる。即ち、リモコン８の確認ボタン１３を押したあと報知音切換ボタン１０、ライト切換ボタン９、リレー切換ボタン１１のいずれかを押せば、その警報手段が設定されている警報モードで作動するとともに、表示灯が設定されている点灯状態を示す。
【００３５】
このように、各警報手段に対応する黄色、赤色、緑色ＬＥＤランプ６Ｙ・６Ｒ・６Ｇの点灯状態を変更することで管理者以外の者がセンサライト１の警報手段の動作を判別できなくなり、不審者などを牽制し侵入を妨げることができる。さらに、黄色、赤色、緑色ＬＥＤランプ６Ｙ・６Ｒ・６Ｇが点灯していると侵入者を威嚇する効果もある。また、リモコン８を使って離れた場所から操作することができるため、通常手の届きにくい高い場所に設置されているセンサライト１の設定が容易に行えて便利である。
【００３６】
上記の実施形態では各警報手段の警報モードを示すＬＥＤランプはそれぞれ固定されている、つまり、報知音スピーカ５の警報モードは黄色ＬＥＤランプ６Ｙが示し、ライト４・４の警報モードは赤色ＬＥＤランプ６Ｒが示し、リレーは緑色ＬＥＤランプ６Ｇが警報モードを示しているが、これらを変更可能にすることもできる。すると、警報モードの判別がより困難になるので防犯効果を高めることができる。このような変更は、例えば、操作ボタンを増設したり、ソフトウェアの変更によって既存のボタンを利用（ＬＥＤボタン１２と確認ボタン１３とを同時に押すなど）して行うことができる。なお、三灯のＬＥＤランプを別々の色にしているが、全て同じ色にしてもかまわない。
【００３７】
また、照明手段、報知音出力手段、外部出力手段など複数の警報手段に対してそれぞれＬＥＤランプを設けているが、１灯で各警報手段の警報モードを示すこともできる。その場合は、点灯時間や点滅間隔、光の強弱などによって各警報手段の警報モードを表すようにすれば良い。なお、警報モード表示灯として長寿命で消費電力の少ないＬＥＤランプを用いているが、これに限ることはなくハロゲン球やキセノン球などを用いることもできる。
【図面の簡単な説明】
【００３８】
【図１】（ａ）図は本発明に係るセンサライト（センサライト）の実施形態を示す正面図と付属のリモコンを示している。（ｂ）図は（ａ）図におけるＡ部の部分拡大図を示している。
【図２】本発明にかかるセンサライトにおける警報手段の警報モード表示灯の表示状態を切り換えるための手順を示すステップＳ１〜ステップＳ１３を示すフロー図である。
【図３】本発明にかかるセンサライトにおける警報手段の警報モード表示灯の表示状態を切り換えるための手順を示すステップＳ１４〜ステップＳ２８を示すフロー図である。
【符号の説明】
【００３９】
１    センサライト
２    センサライト本体（本体）
３    人検知センサ（侵入検知手段）
４    ライト（照明手段）
５    報知音スピーカ（報知音出力手段）
６Ｇ  緑色ＬＥＤランプ（表示灯）
６Ｒ  赤色ＬＥＤランプ（表示灯）
６Ｙ  緑色ＬＥＤランプ（表示灯）
７    切換制御部
８    リモコン
９    ライト切換ボタン
１０  報知音切換ボタン
１１  リレー切換ボタン
１２  ＬＥＤボタン
１３  確認ボタン
【図１】
2009259508.tif 000004
【図２】
2009259508.tif 000005
【図３】
2009259508.tif 000006